(57)【特許請求の範囲】
【請求項１】
ユーザ端末が乗車券の識別コードをスキャンすることによってトリガーされる外出要求情報を取得するステップと、
前記外出要求情報によってデータベースで、ユーザが乗ろうとする車両の出発時間と、ユーザの出発駅の位置情報と、ユーザの目的駅の位置情報とを含む外出通知情報を検索するステップと、
検索して取得された前記外出通知情報を前記ユーザ端末に戻すステップと、
ユーザが気象状況に応じて出発駅に行くための交通方式を決めるために、前記出発時間によって前記ユーザ端末に外出時の出発地の気象情報をプッシュするステップと、
前記出発駅の位置情報によって、ユーザにより選択された時間最短ポリシー及び乗り換え回数最小ポリシーのうちの一つに基づき、ユーザ位置から前記出発駅までのルート計画を行って、計画されたルートを前記ユーザ端末にプッシュするステップと、
前記目的駅の位置情報によって、前記目的駅との間に便利な乗り物があるホテルをユーザに推薦するステップとを含む
ことを特徴とする外出情報のプッシュ方法。
【請求項２】
前記外出要求情報によってデータベースで外出通知情報を検索するステップには、
前記外出要求情報によってデータベースでユーザが乗ろうとするバス、列車を含む車両の運行番号を検索するステップをさらに含む
ことを特徴とする請求項１に記載の方法。
【請求項３】
前記出発時間によってユーザに外出計画の注意喚起を行うステップを更に含む
ことを特徴とする請求項２に記載の方法。
【請求項４】
ユーザ端末が乗車券の識別コードをスキャンすることによってトリガーされる外出要求情報を取得する要求取得モジュールと、
前記外出要求情報によってデータベースで、ユーザが乗ろうとする車両の出発時間と、ユーザの出発駅の位置情報と、ユーザの目的駅の位置情報とを含む外出通知情報を検索する通知検索モジュールと、
検索して取得された前記外出通知情報を前記ユーザ端末に戻す通知リターンモジュールと、
ユーザが気象状況に応じて出発駅に行くための交通方式を決めるために、前記出発時間によって前記ユーザ端末に外出時の出発地の気象情報をプッシュする天気プッシュモジュールと、
前記出発駅の位置情報によって、ユーザにより選択された時間最短ポリシー及び乗り換え回数最小ポリシーのうちの一つに基づき、ユーザ位置から前記出発駅までのルート計画を行って、計画されたルートを前記ユーザ端末にプッシュするルート計画モジュールと、
前記目的駅の位置情報によって、前記目的駅との間に便利な乗り物があるホテルをユーザに推薦するホテル推薦モジュールとを備える
ことを特徴とする外出情報のプッシュ装置。
【請求項５】
前記通知検索モジュールは、
前記外出要求情報によってデータベースでユーザが乗ろうとするバス、列車を含む車両の運行番号を検索する運行番号検索ユニットをさらに備える
ことを特徴とする請求項４に記載の装置。
【請求項６】
前記通知検索モジュールが前記時間検索ユニットを備える場合、前記出発時間によってユーザに外出計画の注意喚起を行う計画注意喚起モジュールを更に含む
ことを特徴とする請求項５に記載の装置。
【請求項７】
一つ又は複数のコンピュータ実行可能命令を含む記憶媒体であって、前記コンピュータ実行可能命令がコンピュータプロセッサにより実行される時に、外出情報のプッシュ方法を実行し、前記方法は、
ユーザ端末が乗車券の識別コードをスキャンすることによってトリガーされる外出要求情報を取得するステップと、
前記外出要求情報によってデータベースで、ユーザが乗ろうとする車両の出発時間と、ユーザの出発駅の位置情報と、ユーザの目的駅の位置情報とを含む外出通知情報を検索するステップと、
検索して取得された前記外出通知情報を前記ユーザ端末に戻すステップと、
ユーザが気象状況に応じて出発駅に行くための交通方式を決めるために、前記出発時間によって前記ユーザ端末に外出時の出発地の気象情報をプッシュするステップと、
前記出発駅の位置情報によって、ユーザにより選択された時間最短ポリシー及び乗り換え回数最小ポリシーのうちの一つに基づき、ユーザ位置から前記出発駅までのルート計画を行って、計画されたルートを前記ユーザ端末にプッシュするステップと、
前記目的駅の位置情報によって、前記目的駅との間に便利な乗り物があるホテルをユーザに推薦するステップとを含む
ことを特徴とする記録媒体。
【発明の詳細な説明】
【技術分野】
【０００１】
［優先権主張］
本出願は、２０１５年９月１０日に提出した、出願番号が２０１５１０５７４８８７．Ｘで、出願人が百度在線網絡技術（北京）有限公司で、発明名称が「外出情報のプッシュ方法及び装置」である中国特許出願に基づく優先権を主張し、当該特許出願の全文を引用により本明細書の一部をなすものとする。
【０００２】
本発明の実施形態は、位置サービス技術に基づく領域に関して、特に、外出情報（travel information）のプッシュ方法、装置及び記録媒体に関する。
【背景技術】
【０００３】
現在の列車乗車券とバス乗車券の券面にバーコードがプリントされる。お客は、乗車券を購入した後に、券面にプリントされるバーコードをスキャンすることによって、持っている当該乗車券の真偽がすぐ分かることができる。スマートフォンの普及とスキャンコードソフトの広い応用によって、このようなインタラクティブ方式がとても便利であるため、広く歓迎されている。しかし、当該インタラクティブ方式は、欠点もある。この欠点は、おもに、ユーザがコードをスキャンすることによって得られる情報が乗車券の真偽だけに限られていることである。即ち、ユーザがコードをスキャンすることによって得られる情報量が少ない。
【発明の概要】
【０００４】
上記の技術問題に対して、本発明の実施形態は、外出情報のプッシュ方法、装置及び記録媒体を提供して、ユーザが乗車券でのバーコードをスキャンすることによって得られる情報量を向上させる。
【０００５】
第１態様によれば、本発明の実施形態が、外出情報のプッシュ方法を提供して、この方法は、
ユーザ端末が乗車券での識別コードをスキャンすることによってトリガーされる外出要求情報を取得するステップと、
前記外出要求情報によってデータベースで外出通知情報を検索するステップと、
検索して取得された前記外出通知情報を前記ユーザ端末に戻すステップと、を含む。
【０００６】
第２態様によれば、本発明の実施形態が、外出情報のプッシュ装置を提供して、この装置は、
ユーザ端末が乗車券での識別コードをスキャンすることによってトリガーされる外出要求情報を取得する要求取得モジュールと、
前記外出要求情報によってデータベースで外出通知情報を検索する通知検索モジュールと、
検索して取得された前記外出通知情報を前記ユーザ端末に戻す通知リターンモジュールと、を備える。
【０００７】
第３態様によれば、本発明の実施形態は、一つ又は複数のコンピュータ実行可能命令を含む記憶媒体を提供し、前記コンピュータ実行可能命令がコンピュータプロセッサにより実行される時に、外出情報のプッシュ方法を実行し、前記方法は、
ユーザ端末が乗車券での識別コードをスキャンすることによってトリガーされる外出要求情報を取得するステップと、
前記外出要求情報によってデータベースで外出通知情報を検索するステップと、
検索して取得された前記外出通知情報を前記ユーザ端末に戻すステップと、を含む。
【０００８】
本発明の実施形態に係る外出情報のプッシュ方法、装置及び記録媒体によれば、ユーザ端末が乗車券での識別コードをスキャンすることによってトリガーされる外出要求情報を取得し、前記外出要求情報によってデータベースで外出通知情報を検索し、検索して取得された前記外出通知情報を前記ユーザ端末に戻すことによって、ユーザが乗車券でのバーコードをスキャンした後に、乗車券の真偽の情報を取得するだけではなく、今回の外出に関する外出通知情報も取得することができ、ユーザがコードをスキャンすることによって取得する情報量を向上させる。
【図面の簡単な説明】
【０００９】
本発明の実施例における技術案をより明確的に説明するために、以下、実施例の記述に使用される添付図面について簡単に紹介し、無論、下記の説明される添付図面は、ただ本発明のいくつかの実施例であり、当業者にとって、創造的労働なしに、これらの添付図面を修正したり、置き換えたりしてもよい。
【００１０】
【図１】本発明の第１実施例に係る外出情報のプッシュ方法のフローチャートである。
【図２】本発明の第２実施例に係る外出情報のプッシュ方法のフローチャートである。
【図３】本発明の第３実施例に係る外出情報のプッシュ方法のフローチャートである。
【図４】本発明の第４実施例に係る外出情報のプッシュ方法のフローチャートである。
【図５】本発明の第５実施例に係る外出情報のプッシュ方法のフローチャートである。
【図６】本発明の第６実施例に係る外出情報のプッシュ方法の概略的なフローチャートである。
【図７】本発明の第７実施例に係る外出情報のプッシュ装置の構成図である。
【図８】本発明の第８実施例に係る乗車券の券面の概略図である。
【発明を実施するための形態】
【００１１】
以下、図面と実施例を参照しながら、本発明における技術案を明らかで完全に説明する。明らかに、説明される実施例は、ただ本発明の一部の実施例であり、全部の実施例ではなく、ただ本発明の原理を解釈するためのものであり、本発明をこれらの一部の実施例に限定するためのものではない。本発明で開示されている実施例に基づいて、当業者にとっては、創造的労働なしに得られる全ての他の実施例が、本発明で保護される範囲に属する。
【００１２】
［第１実施例］
本実施例は、外出情報（travel information）のプッシュ方法の一つの技術案を提供する。前記外出情報のプッシュ方法は、外出情報のプッシュ装置で実行され、また、前記外出情報のプッシュ装置が通常に、ネットワーク側での、位置に基づくサービス（Ｌｏｃａｔｉｏｎ―ｂａｓｅ  ｓｅｒｖｉｃｅ（ＬＢＳ））を提供するためのサーバに集積される。
【００１３】
図１を参照し、前記外出情報のプッシュ方法は、下記のステップを含む。
【００１４】
Ｓ１１：ユーザ端末が乗車券での識別コードをスキャンすることによってトリガーされる外出要求情報を取得する。
【００１５】
前記ユーザ端末は、携帯用の、移動通信機能を有するモバイルコンピューティング端末である。好ましくは、前記ユーザ端末は、携帯情報端末（Ｐｅｒｓｏｎａｌ  ｄｉｇｉｔａｌ  ａｓｓｉｓｔａｎｔ、ＰＤＡ）、スマートフォン、タブレットのいずれかであってもよい。また、前記ユーザ端末は、カメラ、レーザー式バーコードスキャナー、あるいは他のバーコードをスキャンするための装置を備えなければならない。なお、前記ユーザ端末は、無線データ通信の機能を有するべきである。即ち、前記ユーザ端末は、自分の無線ネットワーク接続によってインターネットとの接続を保持すべきであって、上りデータ通信と下りデータ通信とを実行することができる。
【００１６】
前記ユーザ端末の無線ネットワーク接続は、ＷｉＦｉネットワーク接続、ＧＰＲＳネットワーク接続、３Ｇ／４Ｇネットワーク接続であってもよく、更に、Ｂｌｕｅｔｏｏｔｈ（登録商標）通信接続、あるいはＺｉｇｂｅｅ通信接続であってもよい。
【００１７】
前記乗車券は、バスの乗車券であってもよく、鉄道の乗車券であってもよい。どんな乗り物の乗車券でも、前記乗車券の券面に識別コードがプリントされるべきである。また、前記識別コードは、前記乗車券を唯一に標識することができる。即ち、すべての乗車券において、２枚の乗車券にプリントされた識別コードが完全に同じになることがない。
【００１８】
前記識別コードは、１次元バーコードと２次元バーコードとを含む。更に具体的に、前記識別コードは、ＥＡＮ―１３バーコード、Ｍａｘｉｃｏｄｅバーコード、ＰＤＦ４１７バーコード、ＤａｔａＭａｔｒｉｘバーコード、ＱＲバーコードのいずれかを含む。また、前記識別コードは、上記のいくつかのデータ形式に限らなく、当該データ形式がよいデコード精度と誤り訂正能力を有して実際に応用することができればよい。
【００１９】
本実施例において、ユーザがユーザ端末を使用して乗車券の券面にプリントされた識別コードをスキャンした後に、ユーザ端末は、サーバ側に前記外出要求情報を送信する。前記外出要求情報は、ユーザ端末がサーバ側に送信する、サーバ側に各種外出通知情報を要求するための情報である。また、前記ユーザ端末は乗車券の券面でのバーコードに対するスキャン動作を実行すると、この情報の送信がトリガーされる。
【００２０】
好ましくは、前記外出要求情報に、前記バーコードから識別され取得された、前記乗車券に唯一に標識することができる情報を少なくとも含むべきである。この情報は、前記乗車券のＩＤコードと見なしてもよい。この情報によると、前記ユーザ端末は、サーバ側にこの乗車券に関するもっと多くの関連情報を要求することができる。
【００２１】
Ｓ１２：前記外出要求情報によってデータベースで外出通知情報を検索する。
【００２２】
前記外出通知情報とは、バックグラウンドデータベースがユーザ端末に提供できる、その外出に関する通知情報である。具体的に、前記外出通知情報は、ユーザが乗ろうとする列車又はバスの運行番号、ユーザが乗ろうとする列車又はバスの出発時間、出発駅の位置情報、あるいは目的駅の位置情報を含む。
【００２３】
いわゆる運行番号は、違う列車あるいは違うバスがそれぞれ与えられる、一つの列車あるいは一つのバスに唯一に標識できる標識コードである。公共交通システムにおいて、各列車も、各バスもそれぞれ対応する運行番号情報を有するべきである。
【００２４】
公共交通システムの秩序あるオペレーションを維持するために、各列車も、各バスもそれぞれ対応する出発時間を有する。ユーザは、前記出発時間が適時に分かることができれば、ユーザが自分の行程を適切に計画することができる。
【００２５】
なお、毎回の外出に対して、鉄道の外出方式を採用しても、道路の外出方式を採用しても、一つの出発駅と一つの目的駅があるはずである。ユーザは出発駅と目的駅の地理位置、あるいはそれら周辺の状況が事前に分かることができれば、ユーザが自分の活動を計画するのが有利である。例えば、ユーザは、出発駅周辺に銀行又はＡＴＭがあることが事前に分かれば、ユーザが外出する場合にたくさんの現金を持ち歩く必要がない。
【００２６】
相応的に、前記外出要求情報によってデータベースで外出通知情報を検索するステップには、前記外出要求情報によってデータベースでユーザが乗ろうとするバス、列車を含む車両の運行番号を検索するステップと、前記外出要求情報によってデータベースでユーザが乗ろうとする車両の出発時間を検索するステップと、前記外出要求情報によってデータベースでユーザの出発駅の位置情報を検索するステップと、前記外出要求情報によってデータベースでユーザの目的駅の位置情報を検索するステップとの少なくとも一つを含む。
【００２７】
もちろん、前記外出通知情報は、上記のいくつかの情報を含むだけではなく、他の今回の外出に関する情報を含んでもよい。相応的に、前記外出通知情報を取得する動作は、上記のいくつかの動作を含むだけではなく、他の種類の外出通知情報を取得する動作を含んでもよい。
【００２８】
Ｓ１３：検索して取得された前記外出通知情報を前記ユーザ端末に戻す。
【００２９】
前記バックグラウンドデータベースから前記外出通知情報が検出された後に、インターネットによって検出された前記外出通知情報を前記ユーザ端末に戻す。
【００３０】
本実施例は、ユーザ端末が乗車券での識別コードをスキャンすることによってトリガーされる外出要求情報を取得し、前記外出要求情報によってデータベースで外出通知情報を検索し、検索して取得された前記外出通知情報を前記ユーザ端末に戻すことによって、ユーザが２次元コードをスキャンすることによって自分が持つ乗車券の真偽情報が分かることができるだけではなく、内容がより豊かな外出通知情報も取得することができ、ユーザが乗車券でのバーコードをスキャンすることによって取得された情報量を向上させる。
【００３１】
［第２実施例］
本実施例は、本発明の上記実施例に基づいて、外出情報のプッシュ方法の一つの技術案を更に提供する。当該技術案において、前記外出要求情報によってデータベースで外出通知情報を検索するステップは、前記外出要求情報によってバックグラウンドデータでユーザが乗ろうとする車両の出発時間を検索することである。また，前記外出情報のプッシュ方法は、前記出発時間によってユーザに外出計画の注意喚起を行うことを更に含む。
【００３２】
図２を参照して、前記外出情報のプッシュ方法は、下記のステップを含む。
【００３３】
Ｓ２１：ユーザ端末が乗車券での識別コードをスキャンすることによってトリガーされる外出要求情報を取得する。
【００３４】
Ｓ２２：前記外出要求情報によってデータでユーザが乗ろうとする車両の出発時間を検索する。
【００３５】
本実施例において、前記外出通知情報とは、具体的に、列車あるいはバスの出発時間である。相応的に，前記外出通知情報を取得する動作は、具体的に、データベースで前記列車あるいはバスの出発時間を検索することである。
【００３６】
説明が必要なのは、前記出発時間とは、所定の運行計画による列車あるいはバスの出発時間である。
【００３７】
Ｓ２３：検索して取得された前記出発時間を前記ユーザ端末に戻す。
【００３８】
Ｓ２４：前記出発時間によってユーザに外出計画の注意喚起を行う。
【００３９】
例えば、ユーザが購入した乗車券は、ある日の午前１１：３０に所在する都市から出発する予定であれば、出発時間１１：３０に近い時点に、例えば、午前９：３０に、ユーザに外出計画の注意喚起を行って、ユーザが列車あるいはバスの出発時間に間に合わないことを防ぐ。
【００４０】
本実施例は、前記外出要求情報によってデータでユーザが乗ろうとする列車あるいはバスの出発時間を検索するによって、外出通知情報の取得を実現して、また、検索して取得された出発時間をユーザ端末に戻した後に、前記出発時間によってユーザに外出計画の注意喚起を行うことによって、列車あるいはバスの出発時間によってユーザに外出計画の注意喚起を行うことを実現して、ユーザが列車あるいはバスを逃すことを防ぐ。
【００４１】
［第３実施例］
本実施例は、本発明の上記実施例に基づいて、外出情報のプッシュ方法の一つの技術案を更に提供する。当該技術案において、前記外出要求情報によってデータベースで外出通知情報を検索するステップは、前記外出要求情報によってデータベースでユーザが乗ろうとする車両の出発時間を検索することである。また、前記外出情報のプッシュ方法は、前記出発時間によって前記ユーザ端末に外出時の気象情報をプッシュすることを更に含む。
【００４２】
図３を参照して前記外出情報のプッシュ方法は、下記のステップを含む。
【００４３】
Ｓ３１：ユーザ端末が乗車券での識別コードをスキャンすることによってトリガーされる外出要求情報を取得する。
【００４４】
Ｓ３２：前記外出要求情報によってデータでユーザが乗ろうとする車両の出発時間を検索する。
【００４５】
本発明の第２実施例と同じように、本実施例において、前記外出通知情報とは、列車あるいはバスの出発時間である。相応的に、前記外出通知情報を取得する動作は、前記出発時間を取得する動作である。
【００４６】
Ｓ３３：検索して取得された前記出発時間を前記ユーザ端末に戻す。
【００４７】
Ｓ３４：前記出発時間によって前記ユーザ端末に外出時の気象情報をプッシュする。
【００４８】
前記出発時間が与えられた場合、列車あるいはバスが出発時の気象情報を検索してもよい。具体的に、前記出発時間によって関連するサーバに検索要求を行って出発時の気象情報を取得する。また、前記気象情報を取得した後に、取得された気象情報を前記ユーザ端末にプッシュする。
【００４９】
ユーザは、ユーザ端末が前記気象情報を知った後に、気象情報によって、自分が出発駅に行くために採用すべきな交通方式を決めることができる。例えば、雷雨に会った場合、ユーザが地下鉄で出発駅まで行ってもよく、地上交通方式で外出時に混雑に巻き込まれることを防ぐ。
【００５０】
本実施例は、前記外出要求情報によってデータでユーザが乗ろうとする列車あるいはバスの出発時間を検索することによって外出通知情報の取得を実現して、また、検索して取得された出発時間をユーザ端末に戻した後に、前記出発時間によって前記ユーザ端末に外出時の気象情報をプッシュすることによって、ユーザが当時の気象情報によって違う交通方式で出発駅に行くのが便利にする。
【００５１】
［第４実施例］
本実施例は、本発明の上記実施例に基づいて、外出情報のプッシュ方法の一つの技術案を更に提供する。当該技術案において、前記外出要求情報によってデータベースで外出通知情報を検索するステップは、前記外出要求情報によってデータベースでユーザの出発駅の位置情報を検索することである。また、前記外出情報のプッシュ方法は、前記出発駅の位置情報によって、ユーザ位置から前記出発駅までのルート計画を行って計画されたルートを前記ユーザ端末にプッシュすることを更に含む。
【００５２】
図４を参照して、前記外出情報のプッシュ方法は、下記のステップを含む。
【００５３】
Ｓ４１：ユーザ端末が乗車券での識別コードをスキャンすることによってトリガーされる外出要求情報を取得する。
【００５４】
Ｓ４２：前記外出要求情報によってデータベースでユーザの出発駅の位置情報を検索する。
【００５５】
前記出発駅の位置情報とは、前記出発駅の地理位置である。通常に、それは、経度データと緯度データからなる地理位置の座標点、あるいは違う経度データと緯度データからなる１セットの地理位置の座標点である。
【００５６】
理解されるのは、乗車券のそれぞれは、決定した一つの出発駅が対応される。この出発駅は、電子地図において決定される地理位置がある。前記バックグラウンドデータベースに違う出発駅の地理位置情報が保存される。前記外出要求情報を取得した後に、前記外出通知情報によって前記バックグラウンドデータベースで前記出発駅の位置情報を検索して取得することができる。
【００５７】
Ｓ４３：検索して取得された前記出発駅の位置情報を前記ユーザ端末に戻す。
【００５８】
Ｓ４４：前記出発駅の位置情報によって、ユーザ位置から前記出発駅までのルート計画を行って、計画されたルートを前記ユーザ端末にプッシュする。
【００５９】
理解されるのは、ユーザが列車あるいはバスに乗って外出しようとする時に、列車あるいはバスに乗るために出発駅まで行くことが必要である。しかし、前記出発駅まで行くには、通常に、ある程度の距離が必要である。典型的な場合、ユーザは自分と同じ都市にある駅を出発駅とする。ユーザの家あるいは会社から前記出発駅までは、通常、いくつかのルートで着くことができる。より便利且つ迅速に前記出発駅に着くために、ユーザの前記出発駅までのルートに対してルート計画を行う必要がある。
【００６０】
理解されるのは、前記出発駅までのルートを計画するには複数の計画ポリシーを採用してもよく、例えば、時間最短ポリシー、あるいは乗り換え回数最小ポリシーを採用してもよい。ルート計画を行う時に、ユーザのニーズによって一つの計画ポリシーを具体的に選択してもよい。
【００６１】
決定された計画ポリシーによって、ルートに対する計画を完成した後に、計画されたルートを前記ユーザ端末にプッシュする。
【００６２】
本実施例は、前記外出要求情報によってデータベースでユーザの出発駅の位置情報を検索することによって外出通知情報の取得を実現して、また、検索して取得された前記出発駅の位置情報をユーザ端末に戻した後に、前記出発駅の位置情報によって、ユーザ位置から前記出発駅までのルート計画を行って、計画されたルートを前記ユーザ端末にプッシュすることによって、ユーザの出発駅までの外出を著しく便利にする。
【００６３】
［第５実施例］
本実施例は、本発明の上記実施例に基づいて、外出情報のプッシュ方法の一つの技術案を提供する。当該技術案において、前記外出要求情報によってデータベースで外出通知情報を検索するステップは、前記外出要求情報によってデータベースでユーザの目的駅の位置情報を検索することである。また、前記外出情報のプッシュ方法は、前記目的駅の位置情報によってユーザにホテルを推薦することを更に含む。
【００６４】
図５を参照して、前記外出情報のプッシュ方法は、下記のステップを含む。
【００６５】
Ｓ５１：ユーザ端末が乗車券での識別コードをスキャンすることによってトリガーされる外出要求情報を取得する。
【００６６】
Ｓ５２：前記外出要求情報によってデータベースでユーザの目的駅の位置情報を検索する。
【００６７】
一般的に、ユーザの目的駅は、ユーザの行き先の都市にある。目的駅の位置情報が事前に分かることができれば、ユーザが行き先の都市の各活動を計画するのが有利である。
【００６８】
出発駅の位置情報と同じように、前記目的駅の位置情報も経度データと緯度データからなる地理位置の座標点、あるいは違う経度データと緯度データからなる１セットの地理位置の座標点である。
【００６９】
Ｓ５３：検索して取得された前記外出通知情報を前記ユーザ端末に戻す。
【００７０】
Ｓ５４：前記目的駅の位置情報によってユーザにホテルを推薦する。
【００７１】
好ましくは、目的都市において前記目的駅の位置に近いホテルを選択してユーザに推薦してもよい。なお、前記目的駅との間に便利な乗り物があるホテルを選択してユーザに推薦してもよい。
【００７２】
本実施例は、前記外出要求情報によってデータベースでユーザの目的駅の位置情報を検索することによって外出通知情報の取得を実現して、また、検索して取得された前記出発駅の位置情報をユーザ端末に戻した後に、前記目的駅の位置情報によってユーザにホテルを推薦することによって、ユーザの出発駅までの外出を著しく便利にする。
【００７３】
［第６実施例］
本実施例は、外出情報のプッシュ方法の一つの技術案を提供する。図６を参照して、当該技術案において、前記外出情報のプッシュ方法は、下記のステップを含む。
【００７４】
Ｓ６１：ユーザ端末でスキャンされる２次元コードを識別して、前記２次元コードに含まれる乗車券標識情報を取得する。
【００７５】
本実施例において、識別コードは、１次元バーコードを含まなく、２次元バーコードのみを含んで、２次元コードと略称する。
【００７６】
また、本実施例において、前記ユーザ端末は、採集されたバーコード画像を提供するだけの役目がある。バーコード画像即ち２次元コード画像の識別をサーバ側で行う。理解されるのは、前記２次元コードのタイプによって、サーバ側で違うタイプの２次元コード識別アルゴリズムを採用する。
【００７７】
Ｓ６２：前記乗車券標識情報によって外出検索プラットフォームを検索して、外出通知情報を取得する。
【００７８】
前記外出通知情報は、列車あるいはバスの運行番号及び出発時間、出発駅の位置情報、及び目的駅の位置情報を含む。
【００７９】
好ましくは、前記外出検索プラットフォームは、一つのバックグラウンド関係型データベースを含む。前記バックグラウンド関係型データベースに対する検索によって、前記外出通知情報の取得を実現することができる。
【００８０】
Ｓ６３：ユーザに前記外出通知情報を示す。
【００８１】
前記外出通知情報を検索して取得された後に、ユーザに前記外出通知情報を示す。好ましくは、文字あるいはアイコンの形式によって、ユーザに前記外出通知情報を示してもよい。
【００８２】
Ｓ６４：前記外出通知情報によって、ユーザに行程の注意喚起サービスを提供する。
【００８３】
具体的に、前記外出通知情報における出発時間情報によって、ユーザに行程の注意喚起サービスを提供する。
【００８４】
Ｓ６５：前記外出通知情報によって、ユーザにルート計画サービスを提供する。
【００８５】
具体的に、前記外出通知情報に含まれる出発駅あるいは目的駅の地理位置情報によって、ユーザにルート計画サービスを提供してもよく、ユーザがより迅速に出発駅あるいは目的駅周辺のホテルに着くことを可能にする。
【００８６】
Ｓ６６、前記外出通知情報によって、ユーザに天気プッシュサービスを提供する。
【００８７】
具体的に、前記外出通知情報に含まれる出発時間によって、ユーザに天気プッシュサービスを提供してもよい。
【００８８】
本実施例は、ユーザ端末で採集された２次元コード画像をスキャンすることによって、外出検索プラットフォームで外出通知情報を検索して取得し、ユーザに前記外出通知情報を示し、前記外出通知情報によって、ユーザに行程の注意喚起サービス、ルート計画サービス及び天気プッシュサービスを提供することによって、ユーザが乗車券でのバーコードをスキャンすることによって取得する情報量を向上させる。
【００８９】
［第７実施例］
本実施例は、外出情報のプッシュ装置の一つの技術案を提供する。図７を参照して、当該技術案において、前記外出情報のプッシュ装置は、要求取得モジュール７１、通知検索モジュール７２及び通知リターンモジュール７３を含む。
【００９０】
前記要求取得モジュール７１は、ユーザ端末が乗車券での識別コードをスキャンすることによってトリガーされる外出要求情報を取得する。
【００９１】
前記通知検索モジュール７２は、前記外出要求情報によってデータベースで外出通知情報を検索する。
【００９２】
前記通知リターンモジュール７３は、検索して取得された前記外出通知情報を前記ユーザ端末に戻す。
【００９３】
更に、前記通知検索モジュール７２は、運行番号検索ユニット、時間検索ユニット、出発地位置検索ユニット及び目的地位置検索ユニットの少なくとも一つを含む。
【００９４】
前記運行番号検索ユニットは、前記外出要求情報によってデータベースでユーザが乗ろうとするバス、列車を含む車両の運行番号を検索する。
【００９５】
前記時間検索ユニットは、前記外出要求情報によってデータベースでユーザが乗ろうとする車両の出発時間を検索する。
【００９６】
前記出発地位置検索ユニットは、前記外出要求情報によってデータベースでユーザの出発駅の位置情報を検索する。
【００９７】
前記目的地位置検索ユニットは、前記外出要求情報によってデータベースでユーザの目的駅の位置情報を検索する。
【００９８】
更に、前記外出情報のプッシュ装置は、計画リマインドモジュール７４も含む。
【００９９】
前記計画リマインドモジュール７４は、前記通知検索モジュールが前記時間検索ユニットを含む場合、前記出発時間によってユーザに外出計画をリマインドする。
【０１００】
更に、前記外出情報のプッシュ装置は、天気プッシュモジュール７５も含む。
【０１０１】
前記天気プッシュモジュール７５は、前記通知検索モジュールが前記時間検索ユニットを含む場合、前記出発時間によって前記ユーザ端末に外出時の気象情報をプッシュする。
【０１０２】
更に、前記外出情報のプッシュ装置は、ルート計画モジュール７６を含む。
【０１０３】
前記ルート計画モジュール７６は、前記通知検索モジュールが前記出発地位置検索ユニットを含む場合、前記出発駅の位置情報によって、ユーザ位置から前記出発駅までのルート計画を行って計画されたルートを前記ユーザ端末にプッシュする。
【０１０４】
更に、前記外出情報のプッシュ装置は、ホテル推薦モジュール７７も含む。
【０１０５】
前記ホテル推薦モジュール７７は、前記通知検索モジュールが前記目的地位置検索ユニットを含む場合、前記目的駅の位置情報によってユーザにホテルを推薦する。
【０１０６】
上記外出情報のプッシュ装置は、本発明の任意実施例に係る外出情報のプッシュ方法をを実行することができ、実行する方法に対応する機能モジュールと有益な効果を有する。
【０１０７】
当業者であれば、上記本発明の各モジュール又は各ステップは汎用型コンピューティング装置によって実現されることができ、単一コンピューティング装置に集積してもよく、複数のコンピューティング装置から構成されるネットワークに分布してもよい。オプションとして、コンピュータ装置が実行可能なプログラムコードによって実現されることができ、それらを記憶装置に記憶してコンピューティング装置で実行してもよく、それぞれを集積回路モジュールとして作製してもよく、そのうちの複数のモジュール又はステップを単一集積回路モジュールとして作製してもよいと理解すべきである。従って、本発明は特定のハードウェアとソフトウェアの組合せに限定されない。
【０１０８】
［第８実施例］
本実施例は、乗車券の一つの技術案を提供する。当該技術案において、前記乗車券に出発駅名称、目的駅名称、運行番号、発車時間などの一般情報がプリントされる以外に、バーコード８１もプリントされる。前記バーコード８１は、１次元バーコードであってもよく、２次元バーコードであってもよい。前記バーコード８１は、前記乗車券の標識及び外出要求情報をトリガーするためのコマンド情報を有する。
【０１０９】
［第９実施例］
一つ又は複数のコンピュータ実行可能命令を含む記憶媒体であって、前記コンピュータ実行可能命令がコンピュータプロセッサにより実行される時に、外出情報のプッシュ方法を実行し、前記方法は、
ユーザ端末が乗車券での識別コードをスキャンすることによってトリガーされる外出要求情報を取得するステップと、
前記外出要求情報によってデータベースで外出通知情報を検索するステップと、
検索して取得された前記外出通知情報を前記ユーザ端末に戻すステップと、を含む。
【０１１０】
上記記録媒体が前記方法を実行する時に、前記外出要求情報によってデータベースで外出通知情報を検索するステップには、前記外出要求情報によってデータベースでユーザが乗ろうとするバス、列車を含む車両の運行番号を検索するステップと、前記外出要求情報によってデータベースでユーザが乗ろうとする車両の出発時間を検索するステップと、前記外出要求情報によってデータベースでユーザの出発駅の位置情報を検索するステップと、前記外出要求情報によってデータベースでユーザの目的駅の位置情報を検索するステップとの少なくとも一つを含む。
【０１１１】
上記記録媒体が前記方法を実行する時に、前記外出要求情報によってデータベースで外出通知情報を検索するステップが前記外出要求情報によってデータでユーザが乗ろうとする車両の出発時間を検索することである場合、前記方法は、前記出発時間によってユーザに外出計画をリマインドすることを更に含む。
【０１１２】
上記記録媒体が前記方法を実行する時に、前記外出要求情報によってデータベースで外出通知情報を検索するステップが前記外出要求情報によってデータベースでユーザが乗ろうとする車両の出発時間を検索することである場合、前記方法は、前記出発時間によって前記ユーザ端末に外出時の気象情報をプッシュすることを更に含む。
【０１１３】
上記記録媒体が前記方法を実行する時に、前記外出要求情報によってデータベースで外出通知情報を検索するステップが前記外出要求情報によってデータベースでユーザの出発駅の位置情報を検索することである場合、前記方法は、前記出発駅の位置情報によって，ユーザ位置から前記出発駅までのルート計画を行って計画されたルートを前記ユーザ端末にプッシュすることを更に含む。
【０１１４】
上記記録媒体が前記方法を実行する時に、前記外出要求情報によってデータベースで外出通知情報を検索するステップが前記外出要求情報によってデータベースでユーザの目的駅の位置情報を検索することである場合、前記方法は、前記目的駅の位置情報によってユーザにホテルを推薦することを更に含む。
【０１１５】
上記実施形態の説明によれば、当業者は、本発明がソフトウェア、及び必要な汎用ハードウェアにより実現されてもよく、勿論ハードウェアにより実現されてもよいが、多くの場合、前者が好ましい実施形態であるとはっきりと理解すべきである。このような理解に基づき、本発明の技術案は、実質的な部分、又は従来技術を改良する部分をソフトウェア製品の形態で実現してもよい。当該コンピュータソフトウェア製品は、コンピュータ可読記憶媒体、例えば磁気ディスク、光ディスク、読み出し専用メモリ（Ｒｅａｄ−Ｏｎｌｙ  Ｍｅｍｏｒｙ、ＲＯＭ）、あるいはランダムアクセスメモリ（Ｒａｎｄｏｍ  Ａｃｃｅｓｓ  Ｍｅｍｏｒｙ、ＲＡＭ）などに記憶されてもよく、且つコンピュータ機器（パソコン、サーバ、又はネットワーク機器などであってもよく）に本発明の各実施例に係る方法を実行させる複数の命令を含む。
【０１１６】
注意すべきのは、上記外出情報のプッシュ装置の実施例中に含まれる各モジュールとサブモジュールが、機能ロジックのみに応じて区画されるが、上記区画に限定されない。対応する機能を実現することができればよい。また、各機能ユニットの具体的な名称は、単に互いの区別を容易にするためのものであり、本発明の保護範囲を限定するものではない。
【０１１７】
上記は、本発明の好ましい実施例だけであり、本発明を制限するものではない。当業者にとって、本発明に様々な修正と変更する可能性がある。本発明の要旨と原理におけるいかなる修正、均等物による置換、改良などは、本発明の要求範囲に含まれるはずである。
【図１】
0006629965.tif 000002
【図２】
0006629965.tif 000003
【図３】
0006629965.tif 000004
【図４】
0006629965.tif 000005
【図５】
0006629965.tif 000006
【図６】
0006629965.tif 000007
【図７】
0006629965.tif 000008
【図８】
0006629965.tif 000009